(57)【要約】【課題】ピッキングや悪戯の被害に遭い難く、且つ、製造コストの増加を抑制可能な内筒交換式シリンダー錠に関する技術を提供する。【解決手段】鍵穴を有する錠機構である内筒と、内筒を装着する外筒と、を備え、鍵穴に対する内筒交換鍵の挿入によって外筒に対する内筒の摺動が許容されると共に外筒から内筒を抜き取り可能な内筒交換式シリンダー錠であって、内筒の前端に一体に設けられた内筒係合部に対して係脱自在な摘み側係合部と、内筒交換鍵を挿通可能な摘み側鍵挿通孔とを有する操作摘みを備え、摘み側係合部は外筒に内筒が装着された状態のときに内筒側係合部からの離脱が規制される。【選択図】図６
2014074282.tif 000002
【特許請求の範囲】
【請求項１】
鍵穴を有する錠機構である内筒と、
前記内筒を装着する外筒と、を備え、
前記鍵穴に対する内筒交換鍵の挿入によって前記外筒に対する前記内筒の摺動が許容されると共に該外筒から該内筒を抜き取り可能な内筒交換式シリンダー錠であって、
前記内筒の前端に一体に設けられた内筒側係合部に対して係脱自在な摘み側係合部と、前記内筒交換鍵を挿通可能な摘み側鍵挿通孔と、を有する操作摘みを備え、
前記摘み側係合部は、前記外筒に前記内筒が装着された状態のときに前記内筒側係合部からの離脱が規制される、
内筒交換式シリンダー錠。
【請求項２】
前記摘み側係合部は、前記摘み側鍵挿通孔の延在方向に直交する方向から前記内筒側係合部をスライド自在に受け入れると共に、受け入れた該内筒側係合部が前記摘み側鍵挿通孔の延在方向に沿って離反することを規制する係合爪部を有する、
請求項１に記載の内筒交換式シリンダー錠。
【請求項３】
前記内筒側係合部は、板状のプレート本体と、該プレート本体を貫通すると共に前記内筒交換鍵を挿通可能な内筒側鍵挿通孔とを有し、
前記摘み側係合部は、前記係合爪部に前記プレート本体を受け入れる際に、前記摘み側鍵挿通孔と前記内筒側鍵挿通孔とが重なった時点で前記プレート本体と当接して該プレート本体のスライド移動を規制する当接部を有する、
請求項２に記載の内筒交換式シリンダー錠。
【請求項４】
前記プレート本体は、一端が該プレート本体の側面に開口した開口端を有すると共に該プレート本体平面の途中位置まで延在する溝部を有し、
前記摘み側係合部は、前記係合爪部に前記プレート本体を受け入れる際に、前記溝部に摺接しながら進入することで前記プレート本体のスライド移動をガイドするガイド突起を有し、
前記当接部は前記ガイド突起の端部に形成されると共に、前記摘み側鍵挿通孔と前記内筒側鍵挿通孔とが重なった時点で前記当接部が前記溝部の他端に当接する、
請求項３に記載の内筒交換式シリンダー錠。
【請求項５】
鍵穴を有する錠機構である内筒と、前記内筒を装着する外筒と、を備え、前記鍵穴に対する内筒交換鍵の挿入によって前記外筒に対する前記内筒の摺動が許容されると共に該外筒から該内筒を抜き取り可能な内筒交換式シリンダー錠に適用される、内筒に着脱自在に装着される操作摘みであって、
前記内筒の前端に一体に設けられた内筒側係合部に対して係脱自在な摘み側係合部と、前記内筒交換鍵を挿通可能な摘み側挿通孔と、を有し、
前記摘み側係合部は、前記外筒に前記内筒が装着された状態のときに前記内筒側係合部からの離脱が規制される、
内筒交換式シリンダー錠の内筒に着脱自在に装着される操作摘み。
【発明の詳細な説明】
【技術分野】
【０００１】
本発明は、内筒交換式シリンダー錠およびその内筒に着脱自在に装着される操作摘みに関する。
【背景技術】
【０００２】
シリンダー錠の一種として、外筒に回転自在に嵌め込まれた内筒（シリンダー）の交換が可能な内筒交換式のシリンダー錠が知られている（例えば、特許文献１を参照）。
【先行技術文献】
【特許文献】
【０００３】
【特許文献１】特開平１０−２１３４号公報
【発明の概要】
【発明が解決しようとする課題】
【０００４】
図１９および図２０は、従来における内筒交換式シリンダー錠１００Ａ、１００Ｂの外観斜視図である。図２１は、従来における内筒交換式ではないシリンダー錠１００Ｃの外観斜視図である。図中に示す１０１は操作摘み、１０２は内筒（シリンダー）、１０３は鍵穴である。なお、図２１においては、内筒１０２は操作摘み１０１の下に隠れており、外部に露出されていない。
【０００５】
図１９に示す内筒交換式シリンダー錠１００Ａは、操作摘み１０１と内筒１０２とが別々に設けられており、内筒１０２の前端面全体が外部に露出した構造となっている。一方、図２０に示す内筒交換式シリンダー錠１００Ｂは、操作摘み１０１と、内筒１０２を装着する外筒１０４が一体に設けられており、図１９に示す内筒交換式シリンダー錠１００Ａと同様、内筒１０２の前端面全体が外部に露出した構造となっている。このように、内筒１０２の前端面全体が外部に露出していると、ハウジングの正面から内筒位置が視認できてしまうため、特殊な工具を用いて不正に解錠を行うピッキングや鍵穴１０３に異物を挿入する悪戯（イタズラ）の被害に遭い易い。
【０００６】
一方、図２１に示す従来のシリンダー錠１００Ｃは、操作摘み１０１Ｃが内筒と一体に設けられており、内筒の前端面が摘み操作１０１Ｃによって覆われている。この場合、内筒１０２の前端面が全体的に露出した内筒交換式シリンダー錠１００Ａ，１００Ｂに比べて、シリンダー錠１００Ｃはピッキングや悪戯の被害に遭いにくい構造といえる。しかしながら、図２１に示すシリンダー錠１００Ｃは内筒を交換することはできない。従って、仮に内筒交換式シリンダー錠１００Ａ、１００Ｂに対して図２１に示す操作摘み１０１Ｃおよび内筒の一体構造をそのまま転用した場合、内筒交換式シリンダー錠における本体の種類毎に、その本体に合わせた操作摘み及び内筒が必要となり、コストの増加に繋がる虞がある。
【０００７】
本発明は、上記実情に鑑みてなされたものであり、その目的は、ピッキングや悪戯の被害に遭い難く、且つ、製造コストの増加を抑制可能な内筒交換式シリンダー錠に関する技術を提供することにある。
【課題を解決するための手段】
【０００８】
上記目的を達成するための本発明は、鍵穴を有する錠機構である内筒と、前記内筒を装着する外筒と、を備え、前記鍵穴に対する内筒交換鍵の挿入によって前記外筒に対する前記内筒の摺動が許容されると共に該外筒から該内筒を抜き取り可能な内筒交換式シリンダ
ー錠であって、前記内筒の前端に一体に設けられた内筒側係合部に対して係脱自在な摘み側係合部と、前記内筒交換鍵を挿通可能な摘み側鍵挿通孔と、を有する操作摘みを備え、前記摘み側係合部は、前記外筒に前記内筒が装着された状態のときに前記内筒側係合部からの離脱が規制される、内筒交換式シリンダー錠を提供する。
【０００９】
また、内筒交換式シリンダー錠において、前記摘み側係合部は、前記摘み側鍵挿通孔の延在方向に直交する方向から前記内筒側係合部をスライド自在に受け入れると共に、受け入れた該内筒側係合部が前記摘み側鍵挿通孔の延在方向に沿って離反することを規制する係合爪部を有していても良い。
【００１０】
また、内筒交換式シリンダー錠において、前記内筒側係合部は、板状のプレート本体と、該プレート本体を貫通すると共に前記内筒交換鍵を挿通可能な内筒側鍵挿通孔とを有し、前記摘み側係合部は、前記係合爪部に前記プレート本体を受け入れる際に、前記摘み側鍵挿通孔と前記内筒側鍵挿通孔とが重なった時点で前記プレート本体と当接して該プレート本体のスライド移動を規制する当接部を有していても良い。
【００１１】
また、内筒交換式シリンダー錠において、前記プレート本体は、一端が該プレート本体の側面に開口した開口端を有すると共に該プレート本体平面の途中位置まで延在する溝部を有し、前記摘み側係合部は、前記係合爪部に前記プレート本体を受け入れる際に、前記溝部に摺接しながら進入することで前記プレート本体のスライド移動をガイドするガイド突起を有し、前記当接部は前記ガイド突起の端部に形成されると共に、前記摘み側鍵挿通孔と前記内筒側鍵挿通孔とが重なった時点で前記当接部が前記溝部の他端に当接するように構成されても良い。
【００１２】
また、本発明は、内筒交換式シリンダー錠の内筒に着脱自在に装着される操作摘みの側面として捉えることができる。すなわち、本発明は、鍵穴を有する錠機構である内筒と、前記内筒を装着する外筒と、を備え、前記鍵穴に対する内筒交換鍵の挿入によって前記外筒に対する前記内筒の摺動が許容されると共に該外筒から該内筒を抜き取り可能な内筒交換式シリンダー錠に適用される、内筒に着脱自在に装着される操作摘みであって、前記内筒の前端に一体に設けられた内筒側係合部に対して係脱自在な摘み側係合部と、前記内筒交換鍵を挿通可能な摘み側挿通孔と、を有し、前記摘み側係合部は、前記外筒に前記内筒が装着された状態のときに前記内筒側係合部からの離脱が規制される、内筒交換式シリンダー錠の内筒に着脱自在に装着される操作摘みを提供する。
【発明の効果】
【００１３】
本発明によれば、ピッキングや悪戯の被害に遭い難く、且つ、製造コストの増加を抑制可能な内筒交換式シリンダー錠に関する技術を提供できる。
【図面の簡単な説明】
【００１４】
【図１】実施形態に係るシリンダー錠の外観斜視図である。
【図２】実施形態に係るシリンダー錠の内部構造を示す断面図である。
【図３】実施形態に係る内筒、駆動シャフト及びストッパーの関係を示す図である。
【図４】実施形態に係る内筒の斜視図である。
【図５】実施形態に係る操作摘みの斜視図である。
【図６】実施形態に係る内筒に操作摘みを装着した状態を示す斜視図である。
【図７】実施形態に係る内筒の内部構造を示した図である。
【図８】実施形態に係る絞り部を通る位置における内筒の横断面である。
【図９】実施形態に係る操作摘みの詳細構造を示す図である。
【図１０】実施形態に係るインジケータの斜視図である。
【図１１】実施形態に係る内筒とインジケータとの関係を示す図である。
【図１２】実施形態に係る外筒の斜視図である。
【図１３】実施形態に係る内筒の鍵穴に内筒交換鍵を挿入する前の状態を示す図である。
【図１４】実施形態に係る内筒の鍵穴に内筒交換鍵を挿入した状態を示す図である。
【図１５】実施形態に係る内筒の鍵穴に内筒交換鍵を挿入した際のシリンダー錠の内部状態を示す図である。
【図１６】実施形態に係る内筒の鍵穴に内筒交換鍵を挿入した際のシリンダー錠の内部状態を示す図である。
【図１７】実施形態に係るシリンダー錠のバリエーションを示す図である。
【図１８】実施形態に係るシリンダー錠のバリエーションを示す図である。
【図１９】従来の内筒交換式シリンダー錠を示す図である。
【図２０】従来の内筒交換式シリンダー錠を示す図である。
【図２１】従来の内筒交換式ではないシリンダー錠を示す図である。
【発明を実施するための形態】
【００１５】
以下に図面を参照して、この発明を実施するための形態を例示的に詳しく説明する。なお、本実施の形態に記載されている構成要素の寸法、材質、形状、その相対配置等は、特に特定的な記載がない限りは、発明の技術的範囲をそれらのみに限定する趣旨のものではない。
【００１６】
図１は、実施形態に係る内筒交換式シリンダー錠（以下、単に「シリンダー錠」という）１の外観斜視図である。また、図２は、シリンダー錠１の内部構造を示す断面図である。図１に示す２はハウジング、３は操作摘み、４はダイヤル部である。ハウジング２は、シリンダー錠１の筐体である。また、ハウジング２のフロントパネル（正面）２１には、例えば「開（ＯＰＥＮ）」、「閉（ＣＬＯＳＥ）」の文字が印刷、刻印などによって表示されている（図示せず）。また、フロントパネル２１には、表示窓２２が設けられており、ハウジング２内部に組み込まれるインジケータによって、シリンダー錠１の解錠および施錠の各状態が確認できるようになっている。
【００１７】
図２に示すように、シリンダー錠１は、鍵穴を有する錠機構である内筒５、内筒５を装着（保持）する外筒６を備える。外筒６は、ハウジング２のアッパーケース２３に形成された円筒スリーブ部２３ａの内側に配置されている。詳しくは後述するが、この円筒スリーブ部２３の前端部には、インジケータ８が嵌め込まれるようになっている。なお、ハウジング２のフロントパネル２１は、アッパーケース２３の前面（上面）を覆うように装着されている。また、図１に示すように、内筒５および外筒６の前端側は、操作摘み３によって覆われており、外部には露出していない。外筒６は、ハウジング２（アッパーケース２３の円筒スリーブ部２３ａ）に対して回動自在に装着されている。また、外筒６の内周側には、内筒５が回動自在かつ摺動自在に装着されている。但し、後述するように、通常時においては、外筒６に対して内筒５が係止されており、外筒６に対する内筒５の相対回動および摺動が規制（禁止）される。なお、ハウジング２の構造、形状等には、言うまでも無く種々の変更を加えることができる。
【００１８】
ダイヤル部４は、４個のダイヤル４ａ〜４ｄを有する。但し、ダイヤル部４を構成するダイヤルの数は本構成例に限られず、任意に変更できる。シリンダー錠１は、ダイヤル部４の各ダイヤル４ａ〜４ｄが解錠符号（番号）に揃っている状態で、操作摘み３の回動操作（開閉操作）が可能となる。つまり、使用者は、操作摘み３を操作して、操作摘み３の位置を「開」又は「閉」の何れかに合わせる。使用者が操作摘み３を回動させると、ハウジング２に対して内筒５および外筒６が一体的に回動する。内筒５の後端側の部位には駆動シャフト２４が連結されており、この駆動シャフト２４がストッパー２５（デッドボルト）に連結されている。
【００１９】
図３は、内筒５と駆動シャフト２４とストッパー２５との関係を示す図である。駆動シャフト２４の後端部には軸部２４ａが形成されており、駆動シャフト２４は、後端面に開口すると共に軸方向に沿った円筒状の中空部が設けられている。ストッパー２５には、駆動シャフト２４の軸部２４ａの先端側を挿入可能な取り付け孔２５ａが形成されており、軸部２４ａの一部が取り付け孔２５ａに挿入された状態で駆動シャフト２４とストッパー２５とが固定される。例えば、軸部２４ａに形成された中空部の内周面にはネジ溝が設けられており、駆動シャフト２４とストッパー２５とはネジを介して一体に連結される。操作摘み３の回動操作によって、内筒５を介してストッパー２５の姿勢が変化する。これにより、ダイヤル部４が解錠符号に揃っている場合、使用者は操作摘み３を操作して、ストッパー２５の姿勢を施錠位置から解錠位置へ、あるいは解錠位置から施錠位置へと自由に切り替えることができる。
【００２０】
一方、ダイヤル部４の各ダイヤル４ａ〜４ｄが解錠符号に揃っていない状態では、アッパーケース２３の円筒スリーブ部２３ａに対する外筒６の相対回動が制限（禁止）される。そして、内筒５の鍵穴に鍵が挿入されていない通常時には外筒６に対する内筒５の相対回動が制限されるため、操作摘み３がロックされる。この場合、操作摘み３の回動操作が規制（禁止）されることで、ストッパー２５の姿勢を変更することが規制される。なお、ダイヤル部４およびその周辺構造については、本実施形態に係るシリンダー錠１の本質的な部分ではないため、ここでの詳細な説明は割愛する。
【００２１】
図４は、実施形態に係る内筒５の斜視図である。図５は、実施形態に係る操作摘み３の斜視図である。図６は、実施形態に係る内筒５に操作摘み３を装着した状態を示す斜視図である。シリンダー錠１は、内筒５に対して操作摘み３を着脱自在に装着することが可能である。ここではまず、内筒５の構造について説明する。内筒５は、その軸方向に延在する鍵穴５１を有する。内筒５には、この内筒５を径方向に貫通するスロットが形成されており、図７に示すように、各スロットの内部には、タンブラー５２と、このタンブラー５２を付勢するスプリング５３が配置される。なお、内筒５における最後端側のスロット内に配置されているタンブラーを「ストッパータンブラー」と称し、符号５２ａで示す。スプリング５３は、スロットの開口部を通じてタンブラー５２およびストッパータンブラー５２ａをスロットの外部に押し出すように付勢する。タンブラー５２は、後述する内筒交換鍵や解錠鍵の差込部を挿通可能な鍵挿通孔５４、タンブラー５２における側方に突出した第１突起部５５ａ及び第２突起部５５ｂを有する。第１突起部５５ａは、スプリング５３に係合している。また、第２突起部５５ｂは、鍵挿通孔５４を挟んで第１突起部５５ａの逆側に設けられている。内筒交換鍵および解錠鍵の何れも鍵穴５１に挿入されていない状態では、スプリング５３によって第１突起部５５ａがスロットの外側に付勢されることで、タンブラー５２がスロットの開口部に向かって移動する。そして、第２突起部５５ｂがスロットの内壁面に形成された受け部に当接すると、タンブラー５２およびストッパータンブラー５２ａがスロットの外部にそれ以上突出することが規制される。その際、図４、６等に示すように、タンブラー５２の先端部は、内筒５の外周面から外方に突出した状態となる。
【００２２】
なお、図４、６、１６に示すように、ストッパータンブラー５２ａは、一方の端部Ｘに比べて他方の端部Ｙの方が、幅が狭くなっている。端部Ｘの幅は、他のタンブラー５２の幅と同様であり、鍵穴５１に内筒交換鍵７が挿入されていないときにはスプリング５３の付勢力によって端部Ｘが内筒５の外方に突出するようになっている。
【００２３】
次に、内筒５の前端側に設けられる内筒側係合部５６について説明する。内筒５の前端側には、平面視で弓形状を有する一対の切欠き部５７が形成されることで、他の部位に比べて断面が絞られた絞り部５８が設けられている。図８に、絞り部５８を通る内筒５の横
断面を示す。ここでいう横断面とは内筒５の軸方向（すなわち、鍵穴５１の延在方向）に直交する方向の断面をいう。図４、８等を参照すると、一対の切欠き部５７は、鍵穴５１を挟んで両側、より詳しくは双方の切欠き部５７は真向かいの位置に配置されており、絞り部５８は互いに平行な一組の側面５８Ａ，５８Ａを有する。つまり、一組の側面５８Ａ，５８Ａ同士は互いに正対して配置されている。以下、一組の側面５８Ａ，５８Ａ同士が離間する寸法を絞り部５８の幅寸法として定義する。
【００２４】
図４に示すように、内筒側係合部５６は、絞り部５８の前端部に接合されている。内筒側係合部５６は、板状のプレート本体５６１を有する。プレート本体５６１には、プレート本体５６１を厚さ方向に貫通する内筒側鍵挿通孔５６２が形成されている。内筒側鍵挿通孔５６２は、内筒交換鍵７および解錠鍵を挿通することが可能である。内筒側鍵挿通孔５６２の形状および大きさは鍵穴５１と同様である。また、プレート本体５６１は、平面視で略樽型を有しており、一組の平行な側面５６３Ａ，５６３Ａを有する。図示のように、一組の側面５６３Ａ，５６３Ａは、内筒側鍵挿通孔５６２の長辺方向に沿って形成されている。ここで、プレート本体５６１において、側面５６３Ａ，５６３Ａ同士が互いに離間する寸法をプレート本体５６１の幅寸法として定義する。
【００２５】
更に、プレート本体５６１は、側面５６３Ａや内筒側鍵挿通孔５６２の長辺方向と平行に設けられた溝部５６４を有する。溝部５６４は、その一端がプレート本体５６１の側面５６３Ｂに開口した開口端として形成され、他端がプレート本体５６１の途中位置に配置されている。言い換えると、溝部５６４は、一端がプレート本体５６１の側面５６３Ｂに開口した開口端を有し、プレート本体５６１の平面内の途中位置まで延在している。側面５６３Ｂは、溝部５６４の開口端が開口するプレート本体５６１の側面である。また、プレート本体５６１において、側面５６３Ｂの反対方向に位置する側面を符号５６３Ｃで示す。図示のように、側面５６３Ｃは、内筒５の側方に突出した突出部５６５を形成している。
【００２６】
次に、操作摘み３の詳細構成について説明する。図５に示すように、操作摘み３には、操作摘み３を軸方向に貫通する摘み側鍵挿通孔３１が形成されている。摘み側鍵挿通孔３１は、内筒交換鍵や解錠鍵を鍵穴５１に導くための貫通孔である。摘み側鍵挿通孔３１は、鍵穴５１と同様の形状（矩形状）および大きさを有している。但し、摘み側鍵挿通孔３１は、内筒交換鍵や解錠鍵を鍵穴５１に導くことができれば、その大きさや形状が鍵穴５１と異なっていても良い。符号３２は、操作摘み３の後端面（背面）を示す。操作摘み３の後端面３２には、摘み側係合部３３が設けられている。摘み側係合部３３は、内筒５に設けられる内筒側係合部５６と係脱自在に構成されている。これによって、内筒５に対して操作摘み３を着脱自在に装着することができる。
【００２７】
図９は、実施形態に係る操作摘み３の詳細構造を示す図である。摘み側係合部３３は、操作摘み３の後端面（背面）３２から突設された一対の係合爪部３４およびガイド突起３５を含んで形成されている。操作摘み３の後端面（背面）３２とは、操作摘み３が内筒５に装着される際に、内筒５の前端面に対向する面である。一対の係合爪部３４は、操作摘み３の後端面３２において、摘み側鍵挿通孔３１を間に挟むように、摘み側鍵挿通孔３１の両側にそれぞれ設けられている。ガイド突起３５は、摘み側鍵挿通孔３１の長辺（長手）方向に沿って形成された突起である。ガイド突起３５は、その長手方向に沿った一組の平行なガイド側面３５Ａ，３５Ａを有する。ここで、一組のガイド側面３５Ａ，３５Ａと直交する方向、すなわち、ガイド突起３５の長手方向に直交する方向を、ガイド突起３５の幅方向として定義する。
【００２８】
次に、一対の係合爪部３４について説明する。各係合爪部３４は、後端面３２に立設する壁部３６と、この壁部３６から後端面３２の中央（摘み側鍵挿通孔３１）に向かって伸
びる係止部３７とをそれぞれ有している。係止部３７は、後端面３２から所定の寸法だけ離れて後端面３２に沿って配置されている。各係合爪部３４における壁部３６は、それぞれ互いに平行な壁面である第１対向面３６Ａ，３６Ａを有する。以下、一組の第１対向面３６Ａ，３６Ａ同士が離間する距離（寸法）を「第１対向面間距離」と称する。更に、各係合爪部３４における係止部３７は、それぞれ互いに平行な壁面である第２対向面３７Ａ，３７Ａを有する。以下、第２対向面３７Ａ，３７Ａ同士が離間する距離（寸法）を「第２対向面間距離」と称する。第２対向面間距離は、第１対向面間距離に比べて小さな寸法に設定されている。また、第１対向面３６Ａ，３６Ａ、第２対向面３７Ａ，３７Ａ、およびガイド側面３５Ａ，３５Ａは、互いに平行であり、後端面３２から垂直に立設している。また、図５に示されるように、係合爪部３４は円弧状の円弧壁面３４１を有する。この円弧壁面３４１は、壁部３６と係止部３７との双方に跨って形成されており、双方の境界部は平滑に連続している。
【００２９】
ここで、プレート本体５６１の幅寸法は、摘み側係合部３３の第１対向面間距離、すなわち各係合爪部３４の第１対向面３６Ａ，３６Ａ同士が離間する距離と等しいか、僅かに小さい。また、内筒５における絞り部５８の幅寸法は、摘み側係合部３３の第２対向面間距離、すなわち各係合爪部３４の第２対向面３７Ａ，３７Ａ同士が離間する距離と等しいか、僅かに小さい。更に、ガイド突起３５の横幅は、溝部５６４の横幅と等しいか、僅かに小さい。
【００３０】
図１０は、実施形態に係るインジケータ８の斜視図である。インジケータ８は、筒形状を有し、かつ、その軸方向の途中で径が相違する段付き筒部本体８１と、この段付き筒部本体８１の外周面に設けられた表示部８２とを備える。表示部８２は、第１表示領域８２Ａと第２表示領域８２Ｂとに分かれており、それぞれで表示態様（外観）が異なっている。
【００３１】
筒部本体８１は、小径筒部８１Ａと、大径筒部８１Ｂとからなる。筒部本体８１の内周面において、小径筒部８１Ａと大径筒部８１Ｂとの間には段差部８１Ｃが形成されている。また、上述した表示部８２は扇形を有しており、大径筒部８１Ｂから径方向に向けて突出形成されている。更に、小径筒部８１Ａは、その周方向の一区間に切欠き部８１Ｄが形成されており、平面視でＣ字形状を有している。インジケータ８は、図２に示した円筒スリーブ部２３ａの前端面に被さるように装着される。具体的には、インジケータ８における大径筒部８１Ｂの内径は、円筒スリーブ部２３ａの外径と等しいか僅かに大きく形成されており、大径筒部８１Ｂ側から円筒スリーブ部２３ａの前端側が挿入される。そして、円筒スリーブ部２３ａの前端部が段差部８１Ｃに突き合わされた状態で、インジケータ８が円筒スリーブ２３に装着される。ここで、内筒５におけるプレート本体５６１の突出部５６５の幅は、インジケータ８の小径筒部８１Ａに形成された切欠き部８１Ｄと等しいか僅かに小さい。図１１に示すように、内筒５とインジケータ８とは、プレート本体５６１の突出部５６５が小径筒部８１Ａの切欠き部８１Ｄに受け入れられるようにして互いに係合している。これによれば、内筒５が回動すると、内筒５側における突出部５６５とインジケータ８側における切欠き部８１Ｄの縁部とが係合する。その結果、内筒５に連動して、インジケータ８を回動させることができる。
【００３２】
図１２は、実施形態に係る外筒６の斜視図である。外筒６の内周面６１には、一対の係止溝６２が、内筒５の収容空間を挟んで真向かい（向い合わせ）となる位置に形成されている。また、外筒６の内周面６１のうち、一対の係止溝６２のちょうど中間地点には、内筒交換用溝６３が設けられている。内筒交換用溝６３は、外筒６の内周面６１において、一対の係止溝６２から９０°周方向にずれた位置に設けられている。各係止溝６２の幅は、タンブラー５２の幅よりも僅かに大きく、内筒交換用溝６３の幅はタンブラー５２の幅よりも小さい。また、各係止溝６２および内筒交換用溝６３は、外筒６の軸方向に沿って
形成されている。また、外筒６の前端面６５には、その一部がコ字状に切り欠かれた凹部６６が形成されている。円筒スリーブ部２３ａにインジケータ８が装着され、かつ、外筒６が円筒スリーブ部２３ａの内側に設置された場合、外筒６の前端面６５が、インジケータ８の小径筒部８１Ａの前端面と面一となる（図２を参照）。また、外筒６の底部側の領域には、係止溝６２及び内筒交換用溝６３が形成される領域に比べて内径が一段大きく形成された拡径部６７が形成されており、その境界には段差部６８が形成されている。
【００３３】
図１３は、実施形態に係る内筒５の鍵穴５１に内筒交換鍵７を挿入する前の状態を示す図である。シリンダー錠１は、内筒５を外筒６から抜き取り、交換することができる。内筒交換鍵７は、内筒５の交換を行う際に用いる専用鍵である。内筒交換鍵７は、把持部７１および差込部７２を有し、差込部７２の上下面に鍵溝が刻まれている。差込部７２のうち、先端部を除く部分の鍵溝を「第１鍵溝」と称し、符号ＫＣ１にて示す。また、差込部７２の先端部に形成される鍵溝を「第２鍵溝」と称し、符号ＫＣ２にて示す。また、シリンダー錠１は、解錠鍵（図示せず）を用いることによって、外筒６に対する内筒５の係止状態が解除される。そうすると、ダイヤル部４が解錠符号に揃っていない状態であっても、操作摘み３の回動操作が行えるため、ストッパー２５の姿勢を解錠位置に変更できる。解錠鍵は、例えば使用者（利用者）がダイヤル部４の解錠符号（暗証番号）を忘れた場合に、強制的に解錠する際に使用される。内筒交換鍵７や解錠鍵は、セキュリティ管理者等、特別な権限を有する者（以下、「管理者」ともいう）のみが取り扱うように管理されることが好ましい。
【００３４】
内筒５のスロットは、第１鍵溝ＫＣ１および第２鍵溝ＫＣ２に対応する鍵溝読取位置に設けられている。内筒５の鍵穴５１に、内筒交換鍵７および解錠鍵の何れも挿入されていない場合、タンブラー５２が内筒５の外周面から外方に突出して係止溝６２に係止される。その結果、外筒６に対する内筒５の相対回転が制限（規制）される。一方、図１４に示すように、内筒交換鍵７が鍵穴５１に挿入されると、タンブラー５２が第１鍵溝ＫＣ１によってスロット内部に完全に引き込まれる。その結果、タンブラー５２と係止溝６２との係合が解除される（図１５を参照）。このようにして、係止溝６２に対する各タンブラー５２の係止状態が解除され、外筒６に対する内筒５の相対回転が可能となる。なお、第１鍵溝ＫＣ１を有する解錠鍵が鍵穴５１に挿入された場合も、上記と同様、係止溝６２に対する各タンブラー５２の係止状態が解除され、外筒６に対する内筒５の相対回転が可能となる。従って、使用者は、鍵穴５１に挿入した解錠鍵を回転させ、ストッパー２５の姿勢を施錠位置から解錠位置へと変更させることで、施錠対象物を強制的に解錠することができる。
【００３５】
また、内筒５の鍵穴５１に内筒交換鍵７が挿入されている状態では、図１４および図１６に示すように、第２鍵溝ＫＣ２によってストッパータンブラー５２ａの端部Ｘがスロットに完全に引き込まれる一方で、端部Ｙがスロットから外方に突出する。ストッパータンブラー５２ａの端部Ｙは、外筒６における内筒交換用溝６３の幅よりも若干狭くなっている。従って、例えば、鍵穴５１に挿入されている内筒交換鍵７を回すなどしてストッパータンブラー５２ａの端部Ｙと内筒交換用溝６３との位置合わせを行うことで、外筒６に対して内筒５が軸方向に沿って摺動することが許容され、外筒６から内筒５を抜き取ることが可能となる。なお、内筒５の鍵穴５１に内筒交換鍵７が挿入されていない状態では、ストッパータンブラー５２ａの端部Ｘが外筒６の段差部６８に引っ掛かるため、外筒６から内筒５を抜き取ることが規制される。
【００３６】
次に、内筒５に対する操作摘み３の着脱方法について説明する。シリンダー錠１は、内筒５と操作摘み３とをスライド方式によって着脱可能である。ここではまず、操作摘み３を内筒５に装着する場合を説明する。
【００３７】
内筒５に操作摘み３を装着する際、摘み側係合部３３（一対の係合爪部３４）に対して、摘み側鍵挿通孔３１の延在方向に直交する方向（横方向）から内筒側係合部５６（プレート本体５６１）をスライドさせる。これにより、一対の係合爪部３４間にプレート本体５６１が嵌め込まれる（受け入れられる）。その際、プレート本体５６１の溝部５６４の側面とガイド突起３５のガイド側面３５Ａ，３５Ａとが互いに摺接しながら、溝部５６４内にガイド突起３５が進入する。これによって、摘み側係合部３３（一対の係合爪部３４）と内筒側係合部５６（プレート本体５６１）とにおける相対的なスライド移動がガイド（案内）される。本実施形態では、溝部５６４の延伸方向に沿った一対の側面は互いに平行である。但し、溝部５６４の各側面及びガイド突起３５のガイド側面３５Ａ，３５Ａは、内筒５に操作摘み３を装着する際に、溝部５６４の各側面がガイド突起３５のガイド側面３５Ａ，３５Ａと摺接しながらスライドすることでそのスライド方向をガイドすることができれば、これらの各面が平行でなくても良い。例えば、溝部５６４及びガイド突起３５がハの字形状を有するように、溝部５６４の各側面、ガイド側面３５Ａ，３５Ａが互いに傾斜していても良い。溝部５６４に対して、この溝部５６４と相補的な水平形状を有するガイド突起３５が進入することにより、内筒５及び操作摘み３の装着時における双方のスライド方向を好適にガイドすることができる。
【００３８】
なお、上記横方向へのスライド操作時においては、プレート本体５６１の側面５６３Ａと係合爪部３４の第１対向面３６Ａとが摺接することによっても、摘み側係合部３３と内筒側係合部５６とにおける相対的なスライド移動がガイドされる。また、内筒５の絞り部５８における側面５８Ａと係合爪部３４の第２対向面３７Ａとが摺接することによっても、摘み側係合部３３と内筒側係合部５６とにおける相対的なスライド移動がガイドされる。プレート本体５６１のおける一対の側面５６３Ａ、係合爪部３４における一対の第１対向面３６Ａ、絞り部５８における一対の側面５８Ａ、係合爪部３４における一対の第２対向面３７Ａについても、互いに平行に配置する必要は無く、各面が互いに傾斜していても良い。
【００３９】
ところで、図５に示される符号３５Ｂは、ガイド突起３５の長手方向における端部（端面）を示したものである。一方、図４に示される符号５６４Ａは、溝部５６４の開口端とは逆側の端部（端面）を示したものである。内筒５および操作摘み３のスライド装着時においては、上記のようにガイド突起３５が溝部５６４内に進入していく。その際、溝部５６４に対するガイド突起３５の進入量が溝部５６４の長手方向の長さに達した時点で、溝部５６４の端部５６４Ａとガイド突起３５の端部３５Ｂとが当接（衝突）する。これにより、内筒側係合部５６（プレート本体５６１）と摘み側係合部３３（一対の係合爪部３４）とにおける、それ以上の相対的なスライド移動が制限（規制）される。
【００４０】
シリンダー錠１は、内筒５に対する操作摘み３の装着時において、摘み側鍵挿通孔３１と内筒側鍵挿通孔５６２とがちょうど重なり合った時点で、溝部５６４の端部５６４Ａとガイド突起３５の端部３５Ｂとが当接するように、溝部５６４とガイド突起３５との相対関係が規定されている。なお、鍵穴５１と内筒側鍵挿通孔５６２との相対位置関係は不動であるため、実際には、摘み側鍵挿通孔３１、内筒側鍵挿通孔５６２および鍵穴５２の位置が互いに重なり合ったときに、溝部５６４の端部５６４Ａとガイド突起３５の端部３５Ｂとが当接することになる。このような状態になることで、内筒交換鍵７を鍵穴５１に円滑に挿入することが可能となる。
【００４１】
操作摘み３が内筒５に装着された状態では、係合爪部３４の係止部３７と、プレート本体５６１とが、操作摘み３や内筒５の軸方向に重なった状態になる（図６を参照）。つまり、プレート本体５６１が、係合爪部３４の係止部３７の下に潜り込んだ状態になる。従って、この状態で内筒５および操作摘み３を互いに引き離そうとする外力が作用しても、係合爪部３４によって、内筒側係合部５６（プレート本体５６１）が摘み側鍵挿通孔３１
の延在方向に沿って離反する動きが規制される。つまり、例えば図２に示したように、内筒５が外筒６から抜き取れていない状態にある場合には、仮に第三者が無理に操作摘み３を引っ張っても、操作摘み３が内筒５から外れることが抑制される。
【００４２】
シリンダー錠１の内筒５を交換する場合、内筒交換鍵７を用いて、操作摘み３が装着された状態の内筒５を上記の要領で外筒６から抜き取る。その後、内筒５に操作摘み３を装着する時とは逆の方向に双方をスライドさせることにより、内筒側係合部５６（プレート本体５６１）と摘み側係合部３３（係合爪部３４）との係合状態が解除され、内筒５から操作摘み３を取り外すことができる。これにより、使用者は、新たに用意した別の内筒に対して操作摘み３を上記の要領で装着することができる。
【００４３】
新たな内筒５に操作摘み３を装着した後、内筒交換鍵７を鍵穴５２に挿入した状態で内筒５を外筒６に装着することが可能である。その後、内筒５の鍵穴５１から内筒交換鍵７が抜き取られると、外筒６の係止溝６２に対して内筒５のタンブラー５２が係止され、外筒６に対する内筒５の相対回動が制限される。このようにして、外筒６に内筒５が装着されると、外筒６の内周面６１の内側に、係合爪部３４の円弧壁面３４１が嵌合された状態となる。そのため、例えば、図２に示されるように、外筒６に内筒５が装着された状態においては、内筒５に対して操作摘み３を横方向（軸方向に直交する方向）にスライドさせることが抑制される。つまり、この状態から、第三者が無理に操作摘み３を横方向にスライドさようとして力を加えても、操作摘み３をスライド操作することはできない。更に、ハウジング２から露出している操作摘み３が前方に引っ張られたとしても、プレート本体５６１と合爪部３４の係合によって、摘み側鍵挿通孔３１の延在方向に沿って双方が離反することは規制される。よって、内筒５が外筒６に装着された状態においては、摘み側係合部３３（係合爪部３４）が内筒側係合部５６（プレート本体５６１）から離脱することが規制される。
【００４４】
従って、図１９、図２０に示される従来の内筒交換式シリンダー錠１００Ａ，１００Ｂとは異なり、本実施形態に係るシリンダー錠１においては、外筒６に内筒５を装着した状態において、内筒５の前端面が外部に露出されることがない。これにより、第三者によって、ハウジング２の正面から内筒５の位置、状態が視認されることを抑制でき、ピッキングによる不正解錠や鍵穴５１に異物が挿入されるなどといった悪戯（イタズラ）の被害に遭うことを回避できる。また、通常の使用時においては、ピッキングや悪戯の被害に遭い難いといった利益を享受しつつ、内筒を交換する際等においては操作摘み３を容易に内筒５に対して着脱することが可能となる。つまり、内筒交換に際して、内筒５のみを交換し、操作摘み３については内筒交換後も使い回すことが可能となる。従って、図２１に示したシリンダー錠１００Ｃ（内筒交換式ではないシリンダー錠）のように、内筒と操作摘み１０１Ｃを一体的に製造する場合に比べて、シリンダー錠の製造コストを低く抑えることができる。以上より、本実施形態に係る内筒交換式のシリンダー錠１よれば、ピッキングや悪戯の被害に遭い難く、且つ、製造コストの増加を抑制することが可能となる。
【００４５】
また、操作摘み３の色や質感等は、シリンダー錠１全体の統一感を考慮し、ハウジング２に合わせられることが多いのが実情である。仮に、シリンダー錠１の操作摘み３を内筒５から着脱不可能に一体成形してしまうと、上記の如く製造コストに関する不都合が生じるばかりか、内筒５が交換された際にハウジング２と操作摘み３との色や質感が大きく離れてしまい、シリンダー錠全体としての統一感が失われてしまうことが懸念される。これに対して、本実施形態に係るシリンダー錠１によれば、内筒５に操作摘み３を着脱自在に装着できるようにしたため、ハウジング２および操作摘み３における色や質感を常に調和させることができ、内筒交換が行われる前後においてシリンダー錠全体の統一感を維持することが可能である。
【００４６】
なお、シリンダー錠１は、インジケータ８を備える。ここで、インジケータ８の動作について説明する。内筒５におけるプレート本体５６１の突出部５６５の幅は、インジケータ８の小径筒部８１Ａに形成された切欠き部８１Ｄと等しいか僅かに小さくなっており、内筒５が外筒６に装着された状態では、内筒５のプレート本体５６１における突出部５６５がインジケータ８の小径筒部８１Ａにおける切欠き部８１Ｄに嵌合された状態となる。従って、この状態では、内筒５が回動すると、内筒５の突出部５６５とインジケータ８の切欠き部８１Ｄの縁部とが係合する結果、インジケータ８も追従して回動することになる。
【００４７】
インジケータ８は、例えば、表示部８２の第１表示領域８２Ａが赤などといった施錠状態を想起する色に塗られている。一方、表示部８２の第２表示領域８２Ｂが青や緑などといった解錠状態を想起する色に塗られている。但し、表示部８２の色分けは上記例に限られず、また、表示部８２にシールを貼り付けたり、その他適宜の方法によって領域を分けても良い。シリンダー錠１は、表示窓２２を通じて、ハウジング２内に設けられたインジケータ８の表示部８２が、外部から視認することができる。そして、操作摘み３が閉位置にある場合には、第１表示領域８２Ａの赤色が表示窓２２を通じて視認されるため、使用者は直感的にシリンダー錠１が施錠状態にあることを理解できる。
【００４８】
一方、使用者がシリンダー錠１のダイヤル部４ｄを解錠符号に揃え、操作摘み３を閉位置から開位置まで時計廻りに回動操作する場合、操作摘み３の動きに追従して内筒５およびインジケータ８も時計廻りに回動する。そうすると、表示部８２の第２表示領域８２Ｂが表示窓２２を通じて視認されるため、使用者は直感的にシリンダー錠１が解錠状態にあることを理解できる。
【００４９】
操作摘み３（内筒５）の回動に付随してインジケータ８が回動する際の回動量（回動角度）は、内筒５側の突出部５６５の幅と、インジケータ８側の切欠き部８１Ｄの幅との相対関係によって自由に調整することができる。例えば、突出部５６５の幅に比べて切欠き部８１Ｄの幅を相対的に大きくすることにより、内筒５の回動量（回動角度）に対するインジケータ８の回動量（回動角度）の割合は相対的に低くなる。以上のように、内筒５における突出部５６５の幅とインジケータ８における切欠き部８１Ｄの幅との相対関係を調整することで、内筒５の回動動作に連動してインジケータ８が回動する度合いを任意に調整することができる。
【００５０】
なお、本実施形態に係るシリンダー錠は、本発明の趣旨を逸脱しない範囲内で種々の変更を加えることができる。図１７、図１８は、実施形態に係るシリンダー錠１のバリエーションを示す図である。図１７に示すシリンダー錠１Ａのように、ハウジング２のサイズなどは適宜変更することができ、また、図１８に示すシリンダー錠１Ｂのように、プッシュ錠を備えていても良い。また、操作摘み３の形状、仕様等は適宜変更することができる。
【符号の説明】
【００５１】
１・・・内筒交換式シリンダー錠
２・・・ハウジング
３・・・操作摘み
４・・・ダイヤル部
５・・・内筒
６・・・外筒
７・・・内筒交換鍵
８・・・インジケータ
３１・・・摘み側鍵挿通孔
３３・・・摘み側係合部
３４・・・係合爪部
３５・・・ガイド突起
５１・・・鍵穴
５６・・・内筒側係合部
５６１・・・プレート本体
５６２・・・内筒側鍵挿通孔
５６４・・・溝部
【図１】
2014074282.tif 000003
【図２】
2014074282.tif 000004
【図３】
2014074282.tif 000005
【図４】
2014074282.tif 000006
【図５】
2014074282.tif 000007
【図６】
2014074282.tif 000008
【図７】
2014074282.tif 000009
【図８】
2014074282.tif 000010
【図９】
2014074282.tif 000011
【図１０】
2014074282.tif 000012
【図１１】
2014074282.tif 000013
【図１２】
2014074282.tif 000014
【図１３】
2014074282.tif 000015
【図１４】
2014074282.tif 000016
【図１５】
2014074282.tif 000017
【図１６】
2014074282.tif 000018
【図１７】
2014074282.tif 000019
【図１８】
2014074282.tif 000020
【図１９】
2014074282.tif 000021
【図２０】
2014074282.tif 000022
【図２１】
2014074282.tif 000023